(57)【要約】      （修正有）【課題】２点かせ巻取時において連続的に送り出される糸状体を停止させることによる停止時間及び巻き替え時に糸状体を放流し続けることにより発生する生産ロスを低減する。【解決手段】一定速度で連続的に送り出される糸状体を2点かせ枠に巻き取る巻取装置において、巻取り中の枠から別の枠への巻き替えを自動で行い、送り出される糸状体を停止させることなく巻き取る２点かせ巻取装置であって、２点かせ枠で巻き取る装置（巻取り軸）が対向に配置され、巻取り軸に取り付けられた２点かせ枠に交互に自動で巻き変えながら巻き取る２点かせ巻取装置である。【選択図】図１
2008280110.tif 000002
【特許請求の範囲】
【請求項１】
一定速度で連続的に送り出される糸状体を2点かせ枠に巻き取る巻取装置において、巻取り中の枠から別の枠への巻き替えを自動で行い、送り出される糸状体を停止させることなく巻き取る事を特徴とする２点かせ巻取装置。
【請求項２】
該２点かせ枠で巻き取る装置（巻取り軸）が対向に配置され、巻取り軸に取り付けられた２点かせ枠に交互に自動で巻き変えながら巻き取ることを特徴とする請求項１記載の２点かせ巻取装置。
【請求項３】
該巻取り軸に取り付ける２点かせ枠が自由に取り外すことができることを特徴とする請求項１または２に記載の２点かせ巻取装置。
【請求項４】
該糸状体を巻き取っている２点かせ枠（Ａ軸）から別のかせ枠（Ｂ軸）に巻き替える時に、各軸の回転中心を結ぶ線と送り出される糸状体が垂直になるように配された後、ガイドによりＡ軸からＢ軸へ糸状体を移動させＢ軸へ巻き替えることを特徴とする請求項１〜３いずれか記載の２点かせ巻取装置。
【請求項５】
該糸状体を巻き取っている２点かせ枠（Ａ軸）から別のかせ枠（Ｂ軸）に巻き替える時に、各軸の回転中心を結ぶ線と送り出される糸状体が垂直になるように配された後、各軸の回転中心を結ぶ線上をＡ軸は糸状体の走行方向に垂直に離れる方向に移動し、Ｂ軸は糸状体の走行方向に垂直に糸状体に近づくように移動し、Ａ軸からＢ軸へ糸状体を巻き替えることを特徴とする請求項１〜４いずれか記載の２点かせ巻取装置。
【請求項６】
該糸状体を巻き取っている２点かせ枠（Ａ軸）から別のかせ枠（Ｂ軸）に巻き替える時に、Ａ軸とＢ軸にバンチ巻きを行なうことを特徴とする請求項１〜５いずれか記載の２点かせ巻取装置。
【請求項７】
該かせ枠の糸状体を巻きつける部分に糸状体が、ある一定幅で巻き取れるようにガイドが設けられており、そのガイドの隣接する部分に糸状体を別のかせ枠に巻き替えるとき、及び別のかせ枠から巻き替えられるときに糸状体を把持できる構造の把持手段が取り付けられていることを特徴とする請求項１〜６いずれか記載の２点かせ巻取装置。
【発明の詳細な説明】
【技術分野】
【０００１】
本発明は、連続的に送り出される糸状体を、直接、連続的に2点かせ枠に巻取る装置に関するものである。
【背景技術】
【０００２】
従来は、連続的に送り出される糸状体を２点かせ取り機で巻き取る装置及び方法に関しては多く提案（例えば、特許文献１参照）されているが、必要回数巻いた後に連続的に巻き出される糸状体を停止させる事無く、巻き続ける提案はなされていない。
【特許文献１】特公平７−１１２５２９号公報
【０００３】
連続的に送り出される糸状体を停止させた後に、２点かせ枠を取り替えて巻き替えることが出来るならば糸状体を捨てずにすむが、例えば、原料を溶解した後に金型口から連続的に押出し、凝固浴にて凝固させてなる糸状体を生産し続ける工程で２点かせ取りで巻き取る必要のある糸状体では、２点かせ枠を切り替えて巻き続けることが出来なければ、金型口からの吐出を停止するか、新しい２点かせ枠に巻き替えるまでの間、吐出した糸状体を巻き取らずに放流し続け、糸状体を捨てるしかない。金型口からの吐出を一旦停止させた場合には、再度糸を巻ける状態まで復旧するには数時間、早くても２時間はかかってしまう。また、放流する場合には数分単位、早くても約５分の巻き替え作業時間を要する。通常、２点かせ枠で巻き取る糸量は、一般に使用する円筒形のコア上に巻き取る糸量より少なく、巻取り時間は数十分、早ければ２分程度で巻き終わってしまう。５分で巻き替えることが出来たとしても、全生産量に対して捨てる糸量が多く、生産設備として現実的でない。
【発明の開示】
【発明が解決しようとする課題】
【０００４】
本発明は従来技術の課題を背景になされたもので、２点かせ巻取時において連続的に送り出される糸状体を停止させることによる停止時間及び巻き替え時に糸状体を放流し続けることにより発生する生産ロスを低減することを課題とするものである。
【課題を解決するための手段】
【０００５】
本発明者らは上記課題を解決するため、鋭意研究した結果、遂に本発明を完成するに到った。即ち、本発明は下記の構成を有する。
（Ａ）一定速度で連続的に送り出される糸状体を2点がせ枠に巻き取る巻取装置において、巻取り中の枠から別の枠への巻き替えを自動で行い、送り出される糸状体を停止させることなく巻き取る事を特徴とする２点かせ巻取装置。
（Ｂ）２点かせ枠で巻き取る装置（巻取り軸と呼ぶ）が対向に配置され、巻取り軸に取り付けられた２点かせ枠に交互に自動で巻き変えながら巻き取る２点かせ巻取装置。
（Ｃ）巻取り軸に取り付ける２点かせ枠が自由に取り外すことができる２点かせ巻取装置。
（Ｄ）糸状体を巻き取っている２点かせ枠（Ａ軸）から別のかせ枠（Ｂ軸）に巻き替える時に、各軸の回転中心を結ぶ線と送り出される糸状体が垂直になるように配された後、ガイドによりＡ軸からＢ軸へ糸状体を移動させＢ軸へ巻き替えることを特徴とする２点かせ巻取装置。
（Ｅ）糸状体を巻き取っている２点かせ枠（Ａ軸）から別のかせ枠（Ｂ軸）に巻き替える時に、各軸の回転中心を結ぶ線と送り出される糸状体が垂直になるように配された後、各軸の回転中心を結ぶ線上をＡ軸は糸状体の走行方向に垂直に離れる方向に移動し、Ｂ軸は糸状体の走行方向に垂直に糸状体に近づくように移動し、Ａ軸からＢ軸へ糸状体を巻き替えることを特徴とする２点かせ巻取装置。
（Ｆ）糸状体を巻き取っている２点かせ枠（Ａ軸）から別のかせ枠（Ｂ軸）に巻き替える時に、Ａ軸とＢ軸にバンチ巻きを行なうことを特徴とする２点かせ巻取装置。
（Ｇ）かせ枠の糸状体を巻きつける部分に糸状体がある一定幅で巻き取れるようにガイドが設けられており、そのガイドの隣接する部分に糸状体を別のかせ枠に巻き替えるときに、及び別のかせ枠から巻き替えられるときに糸状体を把持できる構造のものを取り付けていることを特徴とする２点かせ巻取装置。
【発明の効果】
【０００６】
本発明による２点かせ巻取装置を用いると連続的に送り出される糸状体を新たな２点かせ枠に巻き替えるまでの間、糸状体を停止させず、または糸状体を放流し捨てる事無く２点かせ枠に巻き替えながら連続して巻き続けることにより大幅なコストダウン及び生産性を向上させることが出来る。
【発明を実施するための最良の形態】
【０００７】
以下、本発明を詳細に説明する。図１が本発明装置の全体の概略図である。装置は対向して同形のものが配置されている。かせ枠の構造は糸状体を巻きつけることができれば、どの様な構造でも良いが、図２に示すように軸と糸状態を巻きつける爪で構成するのが好ましい。さらに爪には糸状体の巻き幅を規制するためのガイド（規制ガイド）を取り付けるのが好ましい。規制ガイドを設けることで糸状体を一定幅で安定して巻くことが出来る。
【０００８】
図１のＡ軸からＢ軸に糸状体を巻き替えるときには、Ｂ軸がＡ軸の回転中心線上まで移動し、同じ位相で回転し始めた後、ガイドにより糸状体をＡ軸からＢ軸へ巻き替える。ガイドの構造は、糸状体に損傷を与えずに糸状体の走行路（糸パス）を変更できるものならどの様な構造でも良いが、フッ素系のコーティングを行なった丸棒を用いるのが好ましい。さらに自由回転するロール４本を用いて図３に示す構造のものを用いるのがより好ましい。ロールを用いることで糸状態への損傷を抑えられ、ロールを図３のように構成することにより上下、左右何れの方向に糸状体が動いても糸状体の糸パスを規制することができる。
【０００９】
Ａ軸からＢ軸に規制ガイドを用いず、図４のようにＡ軸とＢ軸をＡ軸、Ｂ軸の回転中心線上を糸状体の走行方向（糸パス）に対してＡ軸は離れる方向に、Ｂ軸は近づく方向に移動させ糸状体を巻き替えてもよい。
【００１０】
糸状態を別のかせ枠（軸）に巻き替えたあとは、例えばＡ軸からＢ軸に巻き替えた後にＡ軸の回転をとめ、Ａ軸を糸パス方向に移動させることによりＡ軸とＢ軸に渡っている糸状体（渡り糸）に張力をかけ、具体的には糸状体の破断強度以上の張力をかけることにより切断するのが好ましい。糸条体の切断後、Ａ軸の移動を止め、Ａ軸からかせ枠を取り外し、新しいかせ枠を取り付けることができる。Ａ軸からＢ軸に糸状態を巻き替えた後にＡ軸の回転を止めず、もしくはＡ軸の回転を止めた後にＡ軸とＢ軸に渡っている糸状体をはさみ状のもの、カッター状のもので切断してもよい。
【００１１】
渡り糸を切断後、かせ取り機を回転し続けると切断された糸が回転によって巻き出され、糸が枠から離れてしまうため糸状体を巻き替える際、少なくとも巻き替える先のかせ枠の爪の同じ場所に糸状体を複数回巻きつけ（バンチ巻き）、渡り糸を切断後、糸がかせ枠から巻き出されないようにするのが好ましい。また、かせ枠の爪に取り付けられた規制ガイドに隣接するように渡り糸を把持する把持手段を取り付けるのが好ましい。把持する方法としては、粘着シートを取り付けたり、規制ガイドの隣に糸状体の太さよりも小さいスリットを構成するようにガイドを設けてそのスリット部で把持させたり、スリットを構成するものに板バネを用いるのもよい。
【実施例】
【００１２】
以下、実施例により本発明を詳細に説明するが、本発明はこれらによって限定されるものではない。
【００１３】
（実施例１）
ポリエーテルスルホンからなる内径２００μm、膜厚３０μmの中空糸３０本をまとめた１束を速度５０ｍ／ｍｉｎで連続して紡糸しながら、本発明の２点かせ取り機に長さ２ｍで１０，０００本を巻き取り、その後巻き替えを自動で行なった。巻き替えの方法は、中空糸の糸パスは変えず、巻き替える際に各軸を回転中心線上で移動させ、巻き替える際、かせ枠の規制ガイドに隣接する把持手段に中空糸を把持させる方法で行なった。また、渡り糸の切断は渡り糸に張力をかける方法で行なった。本発明装置を用いることで得られた中空糸長に対して約０．３％のロスで済んだ。
【００１４】
（比較例１）
ポリエーテルスルホンからなる内径２００μm、膜厚３０μmの中空糸３０本を纏めた１束を速度５０ｍ／ｍｉｎで連続して紡糸しながら本発明の２点かせ取り機に、長さ２ｍで１０，０００本を巻き取り、その後本発明の２点かせ取り機を停止させ、中空糸は床に放流し、その間にかせ枠を取替え、再度２点かせ取り機で巻き取った。中空糸を放流し中空糸を再度２点かせ取り機で巻き始めるまで約５分を要した。このようにして得られた中空糸長に対して約７５％のロスが発生した。
【産業上の利用可能性】
【００１５】
本発明は、連続で供給される糸状体を２点かせ取り機で必要な長さ巻き続けることができ、２点かせ取り機で巻き取る際のロスを大幅に低減できるため産業界に寄与することが大である。
【図面の簡単な説明】
【００１６】
【図１】本発明の２点かせ巻取装置の概略図である。
【図２】かせ枠先端部を拡大し、示した図である。
【図３】巻き替え時の糸パスを規制するガイドを示した図である。
【図４】本発明の２点かせ巻取装置の枠換え方法を示した図である。
【図５】本発明の２点かせ巻取装置の枠換え方法を示した図である。
【図６】２点かせ巻取装置で糸状体を巻き取っている様子を示した図である。
【符号の説明】
【００１７】
１．A軸
２．B軸
３．かせ枠
４．つめ
５．規制ガイド
６．把持手段（スリット部）
７．移動用レール
８．糸状体
【図１】
2008280110.tif 000003
【図２】
2008280110.tif 000004
【図３】
2008280110.tif 000005
【図４】
2008280110.tif 000006
【図５】
2008280110.tif 000007
【図６】
2008280110.tif 000008